(57)【要約】【課題】印刷装置に複数のラベルイメージを効率良く印刷させる。【解決手段】印刷装置１に複数のラベルイメージをまとめて印刷させるための印刷データを出力する情報処理装置１００は、取得部１１０と決定部１２０と生成部１３０と出力部１４０を含む。取得部１１０は、印刷装置１に収容されている被印刷媒体Ｍのテープ幅を取得する第１取得部１１１と、複数のラベルイメージを取得する第２取得部１１２と、を含む。決定部１２０は、第１取得部１１１により取得されたテープ幅に応じて、複数のラベルイメージの中から被印刷媒体Ｍの幅方向に並べて印刷するラベルイメージの組み合わせを決定する。生成部１３０は、決定部１２０により決定された組み合わせを構成するラベルイメージを含む、第１取得部１１１により取得されたテープ幅に対応する第１ラベルイメージを生成する。出力部１４０は、第１ラベルイメージを含む印刷データを印刷装置へ出力する。【選択図】図８
2020161097.tif 000002
【特許請求の範囲】
【請求項１】
印刷装置に複数のラベルイメージをまとめて印刷させるための印刷データを出力する情報処理装置であって、
前記印刷装置に収容されているテープのテープ幅を取得する第１取得部と、
前記複数のラベルイメージを取得する第２取得部と、
前記第１取得部により取得された前記テープ幅に応じて、前記第２取得部により取得された前記複数のラベルイメージの中から前記テープの幅方向に並べて印刷するラベルイメージの組み合わせを決定する決定部と、
前記決定部により決定された前記組み合わせを構成するラベルイメージを含む、前記第１取得部により取得された前記テープ幅に対応する第１ラベルイメージを生成する生成部と、
前記第１ラベルイメージを含む前記印刷データを前記印刷装置へ出力する出力部と、を備える
ことを特徴とする情報処理装置。
【請求項２】
情報処理装置であって、
前記情報処理装置に収容されているテープのテープ幅を取得する第１取得部と、
まとめて印刷する複数のラベルイメージを取得する第２取得部と、
前記第１取得部により取得された前記テープ幅に応じて、前記第２取得部により取得された前記複数のラベルイメージの中から前記テープの幅方向に並べて印刷するラベルイメージの組み合わせを決定する決定部と、
前記決定部により決定された前記組み合わせを構成するラベルイメージを含む、前記第１取得部により取得された前記テープ幅に対応する第１ラベルイメージを生成する生成部と、
前記第１ラベルイメージを含む印刷データに基づいて、前記テープに前記複数のラベルイメージをまとめて印刷する印刷部と、を備える
ことを特徴とする情報処理装置。
【請求項３】
請求項１又は請求項２に記載の情報処理装置において、
前記生成部は、さらに、前記組み合わせを構成するラベルイメージの境界を特定する情報を含むように、前記第１ラベルイメージを生成する
ことを特徴とする情報処理装置。
【請求項４】
請求項１乃至請求項３のいずれか１項に記載の情報処理装置において、
前記決定部は、前記組み合わせを、前記組み合わせを構成するラベルイメージに対応するテープ幅の総和が前記第１取得部により取得された前記テープ幅以下になるように決定する
ことを特徴とする情報処理装置。
【請求項５】
請求項４に記載の情報処理装置において、
前記決定部は、前記組み合わせについて複数の候補が存在するとき、前記複数の候補の中から、前記第１ラベルイメージの面積に占める候補を構成するラベルイメージの面積の割合がより大きい候補を優先して、前記組み合わせに決定する
ことを特徴とする情報処理装置。
【請求項６】
請求項５に記載の情報処理装置において、
前記決定部は、前記複数の候補の中から、候補を構成するラベルイメージに対応するテープ幅の総和が前記第１取得部により取得された前記テープ幅により近い候補を優先して、前記組み合わせに決定する
ことを特徴とする情報処理装置。
【請求項７】
請求項５に記載の情報処理装置において、
前記決定部は、前記複数の候補の中から、候補を構成するラベルイメージのラベル長の差がより小さい候補を優先して、前記組み合わせに決定する
ことを特徴とする情報処理装置。
【請求項８】
請求項１乃至請求項７のいずれか１項に記載の情報処理装置において、
前記決定部は、前記複数のラベルイメージの中から組み合わせ相手の見つからないラベルイメージを特定し、
前記生成部は、前記組み合わせ相手の見つからないラベルイメージを含む、前記第１取得部により取得された前記テープ幅に対応する第２ラベルイメージを生成し、
前記印刷データは、さらに、前記第２ラベルイメージを含む
ことを特徴とする情報処理装置。
【請求項９】
請求項８に記載の情報処理装置において、
前記生成部は、前記組み合わせ相手の見つからないラベルイメージを前記幅方向の端部に含むように、前記第２ラベルイメージを生成する
ことを特徴とする情報処理装置。
【請求項１０】
請求項１乃至請求項９のいずれか１項に記載の情報処理装置において、
前記決定部は、前記第２取得部により取得された前記複数のラベルイメージの中から１つのラベルイメージを選択し、前記選択部で選択されたラベルイメージの組み合わせ相手を探索する
ことを特徴とする情報処理装置。
【請求項１１】
印刷装置に複数のラベルイメージをまとめて印刷させるための印刷データを出力する印刷指示方法であって、
前記印刷装置に収容されているテープのテープ幅を取得し、
前記複数のラベルイメージを取得し、
取得した前記テープ幅に応じて、前記複数のラベルイメージの中から前記テープの幅方向に並べて印刷するラベルイメージの組み合わせを決定し、
前記組み合わせを構成するラベルイメージを含む、前記テープ幅に対応する第１ラベルイメージを生成し、
前記第１ラベルイメージを含む前記印刷データを前記印刷装置へ出力する
ことを特徴とする印刷指示方法。
【請求項１２】
印刷装置に複数のラベルイメージをまとめて印刷させるための印刷データを出力する情報処理装置に、
前記印刷装置に収容されているテープのテープ幅を取得し、
前記複数のラベルイメージを取得し、
取得した前記テープ幅に応じて、前記複数のラベルイメージの中から前記テープの幅方向に並べて印刷するラベルイメージの組み合わせを決定し、
前記組み合わせを構成するラベルイメージを含む、前記テープ幅に対応する第１ラベルイメージを生成し、
前記第１ラベルイメージを含む前記印刷データを前記印刷装置へ出力する
処理を実行させることを特徴とするプログラム。
【発明の詳細な説明】
【技術分野】
【０００１】
本明細書の開示は、情報処理装置、印刷指示方法、及び、プログラムに関する。
【背景技術】
【０００２】
従来から、粘着層を有する長尺状の被印刷媒体（以降、テープと記す。）に、文字、図形等からなるラベルイメージを印刷するラベルプリンタが知られている（例えば、特許文献１参照）。ラベルプリンタによって印刷済みのテープをカッターなどの切断装置で切断することで、対象物へ貼り付け可能なラベルを得ることができる。
【先行技術文献】
【特許文献】
【０００３】
【特許文献１】特開２０１２−１７９８８２号公報
【発明の概要】
【発明が解決しようとする課題】
【０００４】
ところで、ラベルプリンタには、予め作成した複数のラベルイメージを１回の操作でまとめて印刷する“まとめて印刷機能”を有するものがある。
【０００５】
しかしながら、ラベルイメージは、それぞれ特定のテープ幅のテープ専用に作成されているため、異なるテープ幅に対応するラベルイメージをまとめて印刷することができなかった。その結果、ラベルプリンタの“まとめて印刷”機能の活用範囲は、同じテープ幅のラベルイメージ同士に制限されているのが実情である。
【０００６】
以上のような実情を踏まえ、本発明の一側面に係る目的は、ラベルプリンタなどの印刷装置に複数のラベルイメージを効率良く印刷させるための技術を提供することである。
【課題を解決するための手段】
【０００７】
本発明の一態様に係る情報処理装置は、印刷装置に複数のラベルイメージをまとめて印刷させるための印刷データを出力する情報処理装置であって、前記印刷装置に収容されているテープのテープ幅を取得する第１取得部と、前記複数のラベルイメージを取得する第２取得部と、前記第１取得部により取得された前記テープ幅に応じて、前記第２取得部により取得された前記複数のラベルイメージの中から前記テープの幅方向に並べて印刷するラベルイメージの組み合わせを決定する決定部と、前記決定部により決定された前記組み合わせを構成するラベルイメージを含む、前記第１取得部により取得された前記テープ幅に対応する第１ラベルイメージを生成する生成部と、前記第１ラベルイメージを含む前記印刷データを前記印刷装置へ出力する出力部と、を備える。
【０００８】
本発明の別の態様に係る情報処理装置は、前記情報処理装置に収容されているテープのテープ幅を取得する第１取得部と、まとめて印刷する複数のラベルイメージを取得する第２取得部と、前記第１取得部により取得された前記テープ幅に応じて、前記第２取得部により取得された前記複数のラベルイメージの中から前記テープの幅方向に並べて印刷するラベルイメージの組み合わせを決定する決定部と、前記決定部により決定された前記組み合わせを構成するラベルイメージを含む、前記第１取得部により取得された前記テープ幅に対応する第１ラベルイメージを生成する生成部と、前記第１ラベルイメージを含む印刷データに基づいて、前記テープに前記複数のラベルイメージをまとめて印刷する印刷部と、を備える。
【０００９】
本発明の一態様に係る印刷指示方法は、印刷装置に複数のラベルイメージをまとめて印刷させるための印刷データを出力する印刷指示方法であって、前記印刷装置に収容されているテープのテープ幅を取得し、前記複数のラベルイメージを取得し、取得した前記テープ幅に応じて、前記複数のラベルイメージの中から前記テープの幅方向に並べて印刷するラベルイメージの組み合わせを決定し、前記組み合わせを構成するラベルイメージを含む、前記テープ幅に対応する第１ラベルイメージを生成し、前記第１ラベルイメージを含む前記印刷データを前記印刷装置へ出力する。
【００１０】
本発明の一態様に係るプログラムは、印刷装置に複数のラベルイメージをまとめて印刷させるための印刷データを出力する情報処理装置に、  前記印刷装置に収容されているテープのテープ幅を取得し、前記複数のラベルイメージを取得し、取得した前記テープ幅に応じて、前記複数のラベルイメージの中から前記テープの幅方向に並べて印刷するラベルイメージの組み合わせを決定し、前記組み合わせを構成するラベルイメージを含む、前記テープ幅に対応する第１ラベルイメージを生成し、前記第１ラベルイメージを含む前記印刷データを前記印刷装置へ出力する処理を実行させる。
【発明の効果】
【００１１】
上記の態様によれば、印刷装置に複数のラベルイメージを効率良く印刷させることができる。
【図面の簡単な説明】
【００１２】
【図１】印刷システムの構成を示した図である。
【図２】印刷装置１に収容されるテープカートリッジ３０の斜視図である。
【図３】印刷装置１のカートリッジ収容部１９の斜視図である。
【図４】印刷装置１の断面図である。
【図５】印刷装置１のハードウェア構成を示すブロック図である。
【図６】情報処理装置１００のハードウェア構成を示すブロック図である。
【図７】情報処理装置１００の機能構成を示すブロック図である。
【図８】情報処理装置１００が行う処理のフローチャートである。
【図９】情報処理装置１００が行う組み合わせ決定処理のフローチャートである。
【図１０】ラベルイメージの組み合わせのパターンを例示した図である。
【図１１】生成部１３０で生成されるラベルイメージの一例を示した図である。
【図１２】生成部１３０で生成されるラベルイメージの別の例を示した図である。
【図１３】生成部１３０で生成されるラベルイメージの更に別の例を示した図である。
【図１４】まとめて印刷により作成されたラベルの一例である。
【図１５】印刷装置５００の斜視図である。
【図１６】印刷装置５００の機能構成を示すブロック図である。
【発明を実施するための形態】
【００１３】
［第１の実施形態］
図１は、本実施形態に係る印刷システムの構成を例示した図である。図１に示す印刷システムは、情報処理装置１００と、情報処理装置１００に接続された印刷装置１とを含んでいる。
【００１４】
情報処理装置１００は、印刷装置１に複数のラベルイメージをまとめて印刷させるための印刷データを生成し、生成した印刷データを出力する装置である。情報処理装置１００は、例えば、スマートフォン、タブレット端末などの携帯型のコンピュータである。また、情報処理装置１００は、ノート型やデスクトップ型のコンピュータなどであってもよい。情報処理装置１００のディスプレイ１０１は、例えば、液晶ディスプレイであっても、有機エレクトロルミネッセンス（有機ＥＬ）ディスプレイであってもよい。
【００１５】
印刷装置１と情報処理装置１００は、例えば、無線通信によってデータをやり取りする。印刷装置１と情報処理装置１００の間で行われる無線通信の規格は特に限定しないが、例えば、Ｗｉ−Ｆｉ（登録商標）、Ｂｌｕｅｔｏｏｔｈ（登録商標）、Ｂｌｕｅｔｏｏｔｈ（登録商標）  Ｌｏｗ  Ｅｎｅｒｇｙ（以降、ＢＬＥと記す。）などの無線通信規格である。Ｗｉ−Ｆｉで通信する場合、印刷装置１と情報処理装置１００の接続形態は、アドホックモードであっても、インフラストラクチャーモードであってもよい。また、印刷装置１と情報処理装置１００は、有線通信によってデータをやり取りしてもよい。
【００１６】
印刷装置１には、図１に示すように、キューブ形状の装置筐体２の上面に、蓋３と、複数のボタン（ボタン４、ボタン５、ボタン６、ボタン７、ボタン８）が設けられている。ボタン４は、蓋３の開閉ボタンである。ボタン５からボタン８は、それぞれカットボタン、フィードボタン、無線通信ボタン、電源ボタンである。
【００１７】
蓋３は、開閉可能に配置されている。蓋３は、ボタン４が押下されることで開かれて、テープカートリッジを収容するカートリッジ収容部が外部に露出する。蓋３には、蓋３が閉じた状態でもカートリッジ収容部にテープカートリッジが収容されているか否かを目視で確認可能とするために、窓９が形成されている。また、装置筐体２の側面には、排出口２ａが形成されている。印刷装置１内で印刷が行われた被印刷媒体は、排出口２ａから装置外へ排出される。
【００１８】
図２は、印刷装置１に収容されるテープカートリッジ３０の斜視図である。図３は、印刷装置１のカートリッジ収容部１９の斜視図である。図４は、印刷装置１の断面図である。図２に示すテープカートリッジ３０は、図３に示すカートリッジ収容部１９に着脱自在に収容される。図４には、テープカートリッジ３０がカートリッジ収容部１９に収容された状態が示されている。
【００１９】
テープカートリッジ３０は、図２に示すように、サーマルヘッド被挿入部３６及び係合部３７が形成された、被印刷媒体ＭとインクリボンＲを収容するカートリッジケース３１を有する。カートリッジケース３１には、テープコア３２とインクリボン供給コア３４とインクリボン巻取りコア３５が設けられている。
【００２０】
被印刷媒体Ｍは、カートリッジケース３１内部のテープコア３２にロール状に巻かれている。被印刷媒体Ｍは、例えば、接着層を有する基材と、接着層を覆うように剥離可能に基材に貼付された剥離紙と、を有するテープである。ただし、被印刷媒体Ｍは、剥離紙なしのテープであってもよい。熱転写用のインクリボンＲは、その先端がインクリボン巻取りコア３５に巻きつけられた状態で、カートリッジケース３１内部のインクリボン供給コア３４にロール状に巻かれている。
【００２１】
装置筐体２のカートリッジ収容部１９には、図３に示すように、テープカートリッジ３０を所定の位置で支持するための複数のカートリッジ受け部２０が設けられている。また、カートリッジ受け部２０には、テープカートリッジ３０が収容するテープ（被印刷媒体Ｍ）の幅を検出するためのテープ幅検出スイッチ２４が設けられている。
【００２２】
テープ幅検出スイッチ２４は、テープカートリッジの形状に基づいて被印刷媒体Ｍの幅を検出するためのスイッチである。テープ幅検出スイッチ２４は、カートリッジ収容部１９に複数設けられている。テープ幅の異なるテープカートリッジは、複数のテープ幅検出スイッチ２４をそれぞれ異なる組み合わせで押下するように構成されている。これにより、後述する制御回路２５（図５参照）が、押下されたテープ幅検出スイッチ２４の組み合わせから、テープカートリッジの種類を特定し、被印刷媒体Ｍの幅（テープ幅）の情報を取得する。即ち、印刷装置１では、テープ幅検出スイッチ２４と制御回路２５は、印刷装置１に収容されているテープ（被印刷媒体Ｍ）のテープ幅の情報を取得する取得部を構成する。なお、以降では、印刷装置１に収容されているテープのテープ幅を、第１テープ幅とも記す。
【００２３】
カートリッジ収容部１９には、さらに、複数の発熱素子を有し、被印刷媒体Ｍに印刷を行うサーマルヘッド１０と、被印刷媒体Ｍを搬送するプラテンローラ２１と、テープコア係合軸２２と、インクリボン巻取り駆動軸２３が設けられている。さらに、サーマルヘッド１０には、サーミスタ１３が埋め込まれている。サーミスタ１３は、サーマルヘッド１０の温度を測定する。
【００２４】
テープカートリッジ３０がカートリッジ収容部１９に収容された状態では、図４に示すように、カートリッジケース３１に設けられた係合部３７がカートリッジ収容部１９に設けられたカートリッジ受け部２０に支持される。また、サーマルヘッド１０がカートリッジケース３１に形成されたサーマルヘッド被挿入部３６に挿入される。また、テープコア係合軸２２には、テープカートリッジ３０のテープコア３２が係合し、さらに、インクリボン巻取り駆動軸２３には、インクリボン巻取りコア３５が係合する。
【００２５】
情報処理装置１００から印刷装置１へ印刷データが入力されると、被印刷媒体Ｍは、プラテンローラ２１の回転によりテープコア３２から繰り出される。この際、インクリボン巻取り駆動軸２３がプラテンローラ２１に同調して回転することで、被印刷媒体ＭとともにインクリボンＲがインクリボン供給コア３４から繰り出される。これにより、被印刷媒体ＭとインクリボンＲは重なった状態で搬送される。そして、サーマルヘッド１０とプラテンローラ２１の間を通過する際にインクリボンＲがサーマルヘッド１０によって加熱されることで、インクが被印刷媒体Ｍに転写され、印刷が行われる。
【００２６】
サーマルヘッド１０とプラテンローラ２１の間を通過した使用済みのインクリボンＲは、インクリボン巻取りコア３５に巻き取られる。一方、サーマルヘッド１０とプラテンローラ２１の間を通過した印刷済みの被印刷媒体Ｍは、ハーフカット機構１６及びフルカット機構１７で切断され、排出口２ａから排出される。
【００２７】
図５は、印刷装置１のハードウェア構成を示すブロック図である。印刷装置１は、上述した構成に加えて、図５に示すように、制御回路２５、通信インターフェース２６、ＲＯＭ（Ｒｅａｄ  Ｏｎｌｙ  Ｍｅｍｏｒｙ）２７、ＲＡＭ（Ｒａｎｄｏｍ  Ａｃｃｅｓｓ  Ｍｅｍｏｒｙ）２８、ヘッド駆動回路１８、搬送用モータ駆動回路１１、搬送用モータ１２、カッターモータ駆動回路１４、カッターモータ１５を備える。
【００２８】
制御回路２５は、例えばＣＰＵ（Ｃｅｎｔｒａｌ  Ｐｒｏｃｅｓｓｉｎｇ  Ｕｎｉｔ）などの任意の処理回路を含んでいる。制御回路２５は、ＲＯＭ２７に記憶されているプログラムをＲＡＭ２８に展開し実行することで、印刷装置１の各部の動作を制御する。
【００２９】
通信インターフェース２６は、例えば、無線通信により情報処理装置１００との間でデータを授受する。この場合、通信インターフェース２６は、アンテナとＲＦ（Ｒａｄｉｏ  Ｆｒｅｑｕｅｎｃｙ）部とベースバンド部とを含む通信モジュールであり、例えば、Ｗｉ−Ｆｉモジュール、Ｂｌｕｅｔｏｏｔｈモジュール、ＢＬＥモジュールである。
【００３０】
ＲＯＭ２７には、被印刷媒体Ｍに印刷を行う印刷プログラム、印刷プログラムの実行に必要な各種データ（例えば、フォント等）が格納されている。ＲＡＭ２８は、プログラムの実行に用いられるワークメモリである。なお、印刷装置１での処理に用いられるプログラム及びデータを格納するコンピュータ読み取り可能な記録媒体には、ＲＯＭ２７、ＲＡＭ２８のような、物理的な（非一時的な）記録媒体が含まれる。
【００３１】
ヘッド駆動回路１８は、印刷データと制御信号に基づいてサーマルヘッド１０が有する発熱素子１０ａへの通電を行う。サーマルヘッド１０は、主走査方向に配列された複数の発熱素子１０ａを有する印刷部である。サーマルヘッド１０は、発熱素子１０ａでインクリボンを加熱して熱転写により被印刷媒体Ｍに一ラインずつ印刷を行う。
【００３２】
搬送用モータ駆動回路１１は、搬送用モータ１２を駆動する。搬送用モータ１２は、例えばステッピングモータであり、プラテンローラ２１を回転させる。プラテンローラ２１は、搬送用モータ１２の動力によって回転し、被印刷媒体Ｍの長手方向（副走査方向、搬送方向）に被印刷媒体Ｍを搬送する。
【００３３】
カッターモータ駆動回路１４は、カッターモータ１５を駆動する。フルカット機構１７及びハーフカット機構１６は、カッターモータ１５の動力によって動作し、被印刷媒体Ｍをフルカット又はハーフカットする。フルカットとは、被印刷媒体Ｍの基材を剥離紙とともに被印刷媒体Ｍの幅方向に沿って切断する動作のことである。ハーフカットとは、基材のみを幅方向に沿って切断する動作のことである。カッターモータ駆動回路１４は、例えば、ボタン５が押下されるとカッターモータ１５を駆動してフルカット機構１７に被印刷媒体Ｍをフルカットさせてもよい。
【００３４】
図６は、情報処理装置１００のハードウェア構成を示すブロック図である。情報処理装置１００は、図１に示すディスプレイ１０１に加えて、図６に示すように、表示駆動回路１０２、入力部１０３、通信インターフェース１０４、制御回路１０５、メモリ１０６、補助記憶装置１０７、媒体駆動装置１０８を備える。
【００３５】
表示駆動回路１０２は、例えば、液晶表示ドライバ回路、有機ＥＬ表示ドライバ回路である。入力部１０３は、例えば、タッチパネルである。通信インターフェース１０４は、例えば、無線通信により印刷装置１との間でデータを授受する。この場合、通信インターフェース１０４は、アンテナとＲＦ部とベースバンド部とを含む通信モジュールであり、例えば、Ｗｉ−Ｆｉモジュール、Ｂｌｕｅｔｏｏｔｈモジュール、ＢＬＥモジュールである。
【００３６】
制御回路１０５は、例えばＣＰＵなどの任意の処理回路を含む。制御回路１０５は、メモリ１０６又は補助記憶装置１０７に格納されているプログラムを実行してプログラムされた処理を行うことで、後述する図７に示す機能的構成要素を実現してもよい。
【００３７】
メモリ１０６は、制御回路１０５のワーキングメモリである。メモリ１０６は、たとえば、ＲＡＭ等の任意の半導体メモリである。補助記憶装置１０７は、ＥＰＲＯＭ（Ｅｒａｓａｂｌｅ  Ｐｒｏｇｒａｍｍａｂｌｅ  ＲＯＭ）、ハードディスクドライブ（Ｈａｒｄ  Ｄｉｓｃ  Ｄｒｉｖｅ）、フラッシュメモリ等の不揮発性のメモリである。媒体駆動装置１０８は、メモリ１０６及び補助記憶装置１０７に格納されているデータを、図示しない記憶媒体に出力することができ、また、記憶媒体からプログラム及びデータ等を読み出すことができる。
【００３８】
図７は、情報処理装置１００の機能構成を示すブロック図である。情報処理装置１００は、複数のラベルイメージをまとめて印刷する“まとめて印刷”機能に関する構成として、取得部１１０と、決定部１２０と、生成部１３０と、出力部１４０を備えている。なお、取得部１１０、決定部１２０、生成部１３０、出力部１４０は、例えば、制御回路１０５によって実現されるが、これらは、それぞれ異なる電子回路によって実現されてもよい。つまり、制御回路１０５は、取得部１１０に相当する回路、決定部１２０に相当する回路、生成部１３０に相当する回路、出力部１４０に相当する回路を含んでもよい。
【００３９】
取得部１１０は、印刷装置１から第１テープ幅の情報を取得する第１取得部１１１を含んでいる。具体的には、印刷装置１に収容されている被印刷媒体Ｍのテープ幅を利用者が入力部１０３を用いて入力し、取得部１１０は、入力部１０３から入力されたテープ幅を第１テープ幅として取得してもよい。また、印刷装置１に収容されている被印刷媒体Ｍのテープ幅を通信ＩＦ１０４が印刷装置１と通信することで印刷装置１から取得し、取得部１１０は、印刷装置１から取得したテープ幅を第１テープ幅として取得してもよい。
【００４０】
また、取得部１１０は、予め作成されているラベルイメージから印刷すべき複数のラベルイメージを取得する第２取得部１１２を含んでいる。具体的には、予め作成されているラベルイメージの中から利用者が入力部１０３を用いて複数のラベルイメージを選択し、取得部１１０は、選択された複数のラベルイメージを印刷すべき複数のラベルイメージとして取得してもよい。
【００４１】
決定部１２０は、取得部１１０で取得した複数のラベルイメージの中から、被印刷媒体Ｍの幅方向に並べて印刷するラベルイメージの組み合わせを決定する。具体的には、決定部１２０は、第１取得部１１１により取得された第１テープ幅に応じて、第２取得部１１２により取得された複数のラベルイメージの中から被印刷媒体Ｍの幅方向に並べて印刷するラベルイメージの組み合わせを決定する。より具体的には、決定部１２０は、組み合わせを構成するラベルイメージに対応するテープ幅の総和が第１テープ幅以下になるように、ラベルイメージの組み合わせを決定する。
【００４２】
なお、テープ幅の総和が第１テープ幅以下になる組み合わせの候補が複数存在する場合がある。その場合、決定部１２０は、複数の候補の中から、作成したラベルに含まれる無駄な余白が少なくなる候補を優先し、組み合わせに決定すればよい。このことを、後述する生成部１３０で生成される新たなラベルイメージ（以降、第１ラベルイメージとも記す）を用いて表現すると、決定部１２０は、第１ラベルイメージの面積に占める、候補を構成するラベルイメージの面積の割合がより大きい候補を優先し、組み合わせに決定すればよい、ということができる。これにより、無駄な余白を削減することができる。
【００４３】
具体的には、決定部１２０は、複数の候補の中から、例えば、候補を構成するラベルイメージに対応するテープ幅の総和が第１テープ幅により近い候補を優先して組み合わせに決定してもよい。つまり、第１テープ幅が１８ｍｍであれば、決定部１２０は、テープ幅の総和が１５ｍｍの候補（例えば、幅９ｍｍのラベルイメージと幅６ｍｍのラベルイメージ）よりもテープ幅の総和が１８ｍｍの候補（例えば、幅９ｍｍのラベルイメージと幅９ｍｍのラベルイメージ）を優先し、テープ幅の総和が１８ｍｍの候補を、幅方向に並べて印刷するラベルイメージの組み合わせに決定してもよい。これにより、無駄な余白を削減することができる。
【００４４】
また、決定部１２０は、複数の候補の中から、例えば、候補を構成するラベルイメージのラベル長の差がより小さい候補を優先して組み合わせに決定してもよい。つまり、決定部１２０は、ラベル長の差が１０ｍｍの候補（例えば、ラベル長５０ｍｍのラベルイメージとラベル長４０ｍｍのラベルイメージ）よりもラベル長の差が５ｍｍの候補（例えば、ラベル長５０ｍｍのラベルイメージとラベル長４５ｍｍのラベルイメージ）を優先し、ラベル長の差が５ｍｍの候補を、幅方向に並べて印刷するラベルイメージの組み合わせに決定してもよい。なお、ラベル長とは、テープの長さ方向についてのラベルイメージの長さのことであり、テープの長さ方向はテープの幅と直交する方向である。これにより、無駄な余白を削減することができる。
【００４５】
生成部１３０は、決定部１２０により決定された組み合わせと第２取得部により取得されたテープの第１テープ幅とに基づいて第１ラベルイメージを生成する。具体的には、幅方向に並べられた組み合わせを構成するラベルイメージを含む、第１テープ幅に対応する新たな第１ラベルイメージを生成する。さらに具体的には、生成部１３０は、決定部１２０で決定した組み合わせを構成するラベルイメージを特定し、特定したラベルイメージを幅方向に並べる。そして、幅方向に並べられたラベルイメージを含む第１テープ幅に対応する新たな第１ラベルイメージを生成する。
【００４６】
生成部１３０は、決定部１２０で決定した組み合わせを構成するラベルイメージに加えて、組み合わせを構成するラベルイメージの境界を特定する情報を含むように、第１ラベルイメージを生成してもよい。これにより、まとめて印刷により生成されたラベルを切り分けるときの目印を得ることができるため、切り分け作業が容易になる。境界を特定する情報は、例えば、境界線であり、境界線は、実線、破線、点線など任意の線であってもよい。また、境界を特定する情報は、境界全体を特定する情報に限らない。境界の一部のみを特定する情報であってもよい。ラベルイメージ間の境界は直線で構成されるため、境界の始点と終点など一部のみが特定されることで利用者が境界全体を認識することができるからである。
【００４７】
出力部１４０は、生成部１３０で生成された第１ラベルイメージを含む印刷データを印刷装置１へ出力する。なお、印刷データは、複数のラベルイメージをまとめて印刷するためのデータである。このため、印刷データには、少なくも複数のラベルイメージが含まれている。印刷データに含まれる複数のラベルイメージのいくつかが第１ラベルイメージを構成している。
【００４８】
印刷装置１は、出力部１４０から出力された印刷データを受信すると、印刷データに基づいて、被印刷媒体Ｍに複数のラベルイメージをまとめて印刷する。このとき、決定部１２０で決定した組み合わせを構成するラベルイメージは第１ラベルイメージとして幅方向に並んだ関係で印刷される。このため、情報処理装置１００によれば、組み合わせを構成するラベルイメージを長さ方向に並べて印刷した場合と比較して、印刷装置１に印刷時間とテープ消費量の両方を削減した印刷を行わせることができる。
【００４９】
また、組み合わせを構成するラベルイメージは、それぞれ被印刷媒体Ｍのテープ幅とは異なるテープ幅に対応する。情報処理装置１００は、これらのラベルイメージを第１のテープ幅に対応する第１ラベルイメージに含めることで、第１のテープ幅とは異なるテープ幅に対応するラベルイメージを印刷可能としている。このため、情報処理装置１００によれば、第１のテープ幅とは異なるテープ幅に対応するラベルイメージを印刷装置１に印刷させることができる。
【００５０】
以上のように、情報処理装置１００によれば、印刷装置１に複数のラベルイメージを効率良く印刷させることができる。
【００５１】
図８は、情報処理装置１００が行う処理のフローチャートであり、情報処理装置１００が行う印刷指示方法を示している。図９は、情報処理装置１００が行う組み合わせ決定処理のフローチャートである。図１０は、ラベルイメージの組み合わせのパターンを例示した図である。図１１は、生成部１３０で生成されるラベルイメージの一例を示した図である。図１２は、生成部１３０で生成されるラベルイメージの別の例を示した図である。図１３は、生成部１３０で生成されるラベルイメージの更に別の例を示した図である。図１４は、まとめて印刷により作成されたラベルの一例である。以下、図８から図１４を参照しながら、情報処理装置１００が行う処理について更に具体的に説明する。
【００５２】
情報処理装置１００は、ラベル印刷用のアプリケーションを起動して、図８に示す処理を開始すると、まず、利用者が選択した複数のラベルイメージを取得する（ステップＳ１０）。ここで、取得部１１０が、利用者が入力部１０３を用いて選択した複数のラベルイメージを取得する。
【００５３】
次に、情報処理装置１００は、印刷装置１に収容されている被印刷媒体Ｍのテープ幅Ｗ１を取得する（ステップＳ２０）。ここでは、取得部１１０は、利用者が入力部１０３を用いて入力したテープ幅を被印刷媒体Ｍのテープ幅Ｗ１とみなすことで、被印刷媒体Ｍのテープ幅Ｗ１を取得してもよい。また、印刷装置１と通信することで、被印刷媒体Ｍのテープ幅Ｗ１を取得してもよい。以降では、テープ幅Ｗ１が１８ｍｍの場合を例にして説明する。
【００５４】
なお、ステップＳ１０とステップＳ２０は、どちらが先に行われてもよく、また、時間的に並列に行われてもよい。
【００５５】
情報処理装置１００は、複数のラベルイメージとテープ幅Ｗ１を取得すると、被印刷媒体Ｍの幅方向に並べて印刷するラベルイメージの組み合わせを決定する（ステップＳ３０）。ここでは、決定部１２０が、図９に示す処理を行う。
【００５６】
まず、決定部１２０は、複数のラベルイメージの中から１つのラベルイメージを選択し（ステップＳ３１）、そのラベルイメージに対応するテープ幅Ｗを取得する（ステップＳ３２）。次に、決定部１２０は、ステップＳ３２で取得したテープ幅Ｗがテープ幅Ｗ１を超えているか否かを判定する（ステップＳ３３）。テープ幅Ｗがテープ幅Ｗ１を超えている場合には（ステップＳ３３ＹＥＳ）、そのラベルイメージを被印刷媒体Ｍに印刷することはできないため、決定部１２０は、利用者にエラーを通知して（ステップＳ３４）、処理を終了する。
【００５７】
テープ幅Ｗがテープ幅Ｗ１を超えていない場合には（ステップＳ３３ＮＯ）、決定部１２０は、さらに、テープ幅Ｗがテープ幅Ｗ１と同じか否かを判定する（ステップＳ３５）。
【００５８】
テープ幅Ｗがテープ幅Ｗ１と同じ場合には（ステップＳ３５ＹＥＳ）、処理をステップＳ３８に進める。一方、テープ幅Ｗがテープ幅Ｗ１と異なる場合には（ステップＳ３５ＮＯ）、決定部１２０は、ステップＳ３１で選択したラベルイメージの組み合わせ相手を探索する（ステップＳ３６）。
【００５９】
ステップＳ３６では、決定部１２０は、ステップＳ３２で取得したテープ幅Ｗと組み合わせ相手となるラベルイメージに対応するテープ幅との総和が第１テープ幅以下になるように、ラベルイメージの組み合わせを決定する。なお、組み合わせ相手となるラベルイメージは、１つに限らず２つ以上であってもよい。また、組み合わせ相手となるラベルイメージは、テープ幅の総和が出来る限りテープ幅Ｗ１に近づくように、決定されてもよい。また、組み合わせ相手となるラベルイメージは、ステップＳ３１で選択したラベルイメージのラベル長に出来る限り近いラベル長を有するものに決定されてもよい。また、組み合わせ相手となるラベルイメージが見つからない場合もあるが、その場合には、決定部１２０は、ステップＳ３１で選択したラベルイメージを組み合わせ相手が見つからないラベルイメージとして特定し、ステップＳ３６を終了する。
【００６０】
例えば、テープ幅の選択肢が６ｍｍ、９ｍｍ、１２ｍｍ、１８ｍｍのみである場合であれば、決定され得るラベルイメージの組み合わせのパターンは、図１０に示すようパターンＰ１からパターンＰ５の５つのみである。なお、テープ幅の選択肢は、これらに限らず、例えば、３．５ｍｍ、２４ｍｍ、３６ｍｍ、４６ｍｍなどを含んでもよい。
【００６１】
探索が終了すると、決定部１２０は、組み合わせ相手となるラベルイメージを選択対象から除外した後に（ステップＳ３７）、全てのラベルイメージが既に選択済みか否かを判定する（ステップＳ３８）。
【００６２】
全てのラベルイメージが選択済みではない場合には（ステップＳ３８ＮＯ）、決定部１２０は、全てのラベルイメージが選択済みになるまでステップＳ３１からステップＳ３８の処理を繰り返す。そして、全てのラベルイメージが選択済みになると（ステップＳ３８ＹＥＳ）、決定部１２０は、図９に示す処理を終了する。
【００６３】
図９に示す処理が終了すると、情報処理装置１００は、新たなラベルイメージを生成する（ステップＳ４０）。ここでは、生成部１３０は、決定部１２０で決定した組み合わせに基づいて、その組み合わせを構成するラベルイメージを含む、第１テープ幅に対応する新たな第１ラベルイメージを生成する。なお、第１ラベルイメージには、組み合わせを構成するラベルイメージが幅方向に並んだ状態で含まれている。
【００６４】
第１ラベルイメージには、組み合わせを構成するラベルイメージの境界を特定する情報が含まれていてもよい。例えば、生成部１３０は、図１１に示すように、ラベルイメージ２０１とラベルイメージ２０２の間の境界を特定する情報２０３と、ラベルイメージ２０１と余白の境界を特定する情報２０４と、を含むように、第１ラベルイメージ２００を生成してもよい。
【００６５】
図１１では、境界を示す情報２０３と情報２０４は点線であるが、図１２に示すように、境界を示す情報２０５と情報２０６は実線であってもよい。生成部１３０は、情報２０３及び情報２０４の代わりに情報２０５及び情報２０６を含む第１ラベルイメージ２００ａを生成してもよい。
【００６６】
図１１及び図１２では、境界を特定する情報が境界全体を特定する例を示したが、図１３に示すように、境界を示す情報（情報２０７、情報２０８、情報２０９、情報２１０）は、境界の一部のみを特定する情報であってもよい。生成部１３０は、情報２０３及び情報２０４の代わりに情報２０７から情報２１０を含む第１ラベルイメージ２００ｂを生成してもよい。
【００６７】
なお、図１１から図１３に示す境界を特定する情報は、被印刷媒体Ｍにまとめて印刷されたラベルイメージを手動で切り分けるときに目印となるカットマークとして機能する。
【００６８】
さらに、生成部１３０は、決定部１２０によって組み合わせ相手が見つからないラベルイメージとして特定されたラベルイメージを含む、第２ラベルイメージを生成してもよい。これにより、組み合わせ相手が見つからないラベルイメージについても、印刷可能となる。また、例えば、生成部１３０は、特定されたラベルイメージを幅方向の端部に含むように、第２ラベルイメージを生成しても良い。これにより、ラベル作成後の切り分け作業が容易になるからである。なお、第２ラベルイメージについても、第２ラベルイメージに含まれるラベルイメージの境界を特定する情報が含まれてもよい。
【００６９】
ステップＳ４０が終了すると、情報処理装置１００は、ステップＳ４０で生成された新たなラベルイメージを用いてまとめて印刷用の印刷データを生成して、印刷装置１へ出力し（ステップＳ５０）、図８に示す処理を終了する。ここでは、出力部１４０が印刷データを印刷装置１へ出力する。なお、印刷データには、第１ラベルイメージに加えて、第２ラベルイメージが含まれてもよい。
【００７０】
以上のように、情報処理装置１００が図８に示す処理を行うことで、印刷装置１は、例えば、図１４に示すような、まとめて印刷されたラベルＬ１を生成することができる。なお、ラベルＬ１には、ステップＳ１０で選択された全てのラベルイメージ（ラベルイメージ４０１、ラベルイメージ４０２、ラベルイメージ４０３、ラベルイメージ４０４、ラベルイメージ４０５、ラベルイメージ４０６、ラベルイメージ４０７）が含まれていて、さらに、ステップＳ４０で生成された新たなラベルイメージ（第１ラベルイメージ３０１、第２ラベルイメージ３０２、第１ラベルイメージ３０３、第１ラベルイメージ３０４）が含まれている。
【００７１】
［第２の実施形態］
図１５は、印刷装置５００の斜視図である。印刷装置５００は、いわゆるスタンドアローン型の印刷装置であり、情報処理装置の一種である。印刷装置５００は、第１の実施形態において情報処理装置１００が生成した印刷データを生成する点が、第１の実施形態に係る印刷装置１と異なっている。その他の点は、第１の実施形態に係る印刷装置１と同様である。
【００７２】
印刷装置５００は、排出口５０１ａが形成された装置筐体５０１と、入力部５０２と、表示部５０３と、を含んでいる。利用者は、表示部５０３を見ながら入力部５０２を操作することで、まとめて印刷する複数のラベルイメージを選択することができる。
【００７３】
図１６は、印刷装置５００の機能構成を示すブロック図である。印刷装置５００は、複数のラベルイメージをまとめて印刷する“まとめて印刷”機能に関する構成として、取得部５１０と、決定部５２０と、生成部５３０と、印刷部５４０を備えている。
【００７４】
取得部５１０、決定部５２０、生成部５３０は、情報処理装置１００の取得部１１０、決定部１２０、生成部１３０と同様である。印刷部５４０は、生成部５３０で生成された第１ラベルイメージを含む印刷データに基づいて、被印刷媒体Ｍに複数のラベルイメージをまとめて印刷するものである。
【００７５】
以上のように構成された印刷装置５００によっても、複数のラベルイメージを効率良く印刷することが可能であり、第１の実施形態に係る情報処理装置１００と同様の効果を得ることができる。
【００７６】
上述した実施形態は、発明の理解を容易にするために具体例を示したものであり、本発明はこれらの実施形態に限定されるものではない。情報処理装置、印刷装置、印刷指示方法、及び、プログラムは、特許請求の範囲の記載を逸脱しない範囲において、さまざまな変形、変更が可能である。
【００７７】
上述した実施形態では、印刷装置がサーマルヘッドを有するサーマルプリンタである例を示したが、印刷装置は、サーマルプリンタに限らない。インクジェットプリンタなどの他のプリンタであってもよい。
【００７８】
また、上述した実施形態では、まとめて印刷するために選択された複数のラベルイメージがラベル内に一つずつ含まれるように、印刷データを生成する例を示したが、一つずつ含めた場合にラベル内に無駄な余白が生じるときには、この限りではない。例えば、複数のラベルイメージから余白内に納まるラベルイメージを特定し、特定されたラベルイメージを余白が生じる部分に含むように印刷データを生成してもよい。つまり、余白部分に予備的にラベルイメージを印刷しても良い。なお、余白部分に納まるラベルイメージが複数存在する場合には、印刷回数が多いラベルイメージを優先して余白部分に印刷してもよい。例えば、図１４に示すラベルＬ１を生成する場合であれば、余白部分にラベルイメージ４０５からラベルイメージ４０７のいずれかを余白部分に印刷してもよい。
【００７９】
以下、本願の出願当初の特許請求の範囲に記載された発明を付記する。
［付記１］
印刷装置に複数のラベルイメージをまとめて印刷させるための印刷データを出力する情報処理装置であって、
前記印刷装置に収容されているテープのテープ幅を取得する第１取得部と、
前記複数のラベルイメージを取得する第２取得部と、
前記第１取得部により取得された前記テープ幅に応じて、前記第２取得部により取得された前記複数のラベルイメージの中から前記テープの幅方向に並べて印刷するラベルイメージの組み合わせを決定する決定部と、
前記決定部により決定された前記組み合わせを構成するラベルイメージを含む、前記第１取得部により取得された前記テープ幅に対応する第１ラベルイメージを生成する生成部と、
前記第１ラベルイメージを含む前記印刷データを前記印刷装置へ出力する出力部と、を備える
ことを特徴とする情報処理装置。
［付記２］
情報処理装置であって、
前記情報処理装置に収容されているテープのテープ幅を取得する第１取得部と、
まとめて印刷する複数のラベルイメージを取得する第２取得部と、
前記第１取得部により取得された前記テープ幅に応じて、前記第２取得部により取得された前記複数のラベルイメージの中から前記テープの幅方向に並べて印刷するラベルイメージの組み合わせを決定する決定部と、
前記決定部により決定された前記組み合わせを構成するラベルイメージを含む、前記第１取得部により取得された前記テープ幅に対応する第１ラベルイメージを生成する生成部と、
前記第１ラベルイメージを含む印刷データに基づいて、前記テープに前記複数のラベルイメージをまとめて印刷する印刷部と、を備える
ことを特徴とする情報処理装置。
［付記３］
付記１又は付記２に記載の情報処理装置において、
前記生成部は、さらに、前記組み合わせを構成するラベルイメージの境界を特定する情報を含むように、前記第１ラベルイメージを生成する
ことを特徴とする情報処理装置。
［付記４］
付記１乃至付記３のいずれか１つに記載の情報処理装置において、
前記決定部は、前記組み合わせを、前記組み合わせを構成するラベルイメージに対応するテープ幅の総和が前記第１取得部により取得された前記テープ幅以下になるように決定する
ことを特徴とする情報処理装置。
［付記５］
付記４に記載の情報処理装置において、
前記決定部は、前記組み合わせについて複数の候補が存在するとき、前記複数の候補の中から、前記第１ラベルイメージの面積に占める候補を構成するラベルイメージの面積の割合がより大きい候補を優先して、前記組み合わせに決定する
ことを特徴とする情報処理装置。
［付記６］
付記５に記載の情報処理装置において、
前記決定部は、前記複数の候補の中から、候補を構成するラベルイメージに対応するテープ幅の総和が前記第１取得部により取得された前記テープ幅により近い候補を優先して、前記組み合わせに決定する
ことを特徴とする情報処理装置。
［付記７］
付記５に記載の情報処理装置において、
前記決定部は、前記複数の候補の中から、候補を構成するラベルイメージのラベル長の差がより小さい候補を優先して、前記組み合わせに決定する
ことを特徴とする情報処理装置。
［付記８］
付記１乃至付記７のいずれか１つに記載の情報処理装置において、
前記決定部は、前記複数のラベルイメージの中から組み合わせ相手の見つからないラベルイメージを特定し、
前記生成部は、前記組み合わせ相手の見つからないラベルイメージを含む、前記第１取得部により取得された前記テープ幅に対応する第２ラベルイメージを生成し、
前記印刷データは、さらに、前記第２ラベルイメージを含む
ことを特徴とする情報処理装置。
［付記９］
付記８に記載の情報処理装置において、
前記生成部は、前記組み合わせ相手の見つからないラベルイメージを前記幅方向の端部に含むように、前記第２ラベルイメージを生成する
ことを特徴とする情報処理装置。
［付記１０］
付記１乃至付記９のいずれか１つに記載の情報処理装置において、
前記決定部は、前記第２取得部により取得された前記複数のラベルイメージの中から１つのラベルイメージを選択し、前記選択部で選択されたラベルイメージの組み合わせ相手を探索する
ことを特徴とする情報処理装置。
［付記１１］
印刷装置に複数のラベルイメージをまとめて印刷させるための印刷データを出力する印刷指示方法であって、
前記印刷装置に収容されているテープのテープ幅を取得し、
前記複数のラベルイメージを取得し、
取得した前記テープ幅に応じて、前記複数のラベルイメージの中から前記テープの幅方向に並べて印刷するラベルイメージの組み合わせを決定し、
前記組み合わせを構成するラベルイメージを含む、前記テープ幅に対応する第１ラベルイメージを生成し、
前記第１ラベルイメージを含む前記印刷データを前記印刷装置へ出力する
ことを特徴とする印刷指示方法。
［付記１２］
印刷装置に複数のラベルイメージをまとめて印刷させるための印刷データを出力する情報処理装置に、
前記印刷装置に収容されているテープのテープ幅を取得し、
前記複数のラベルイメージを取得し、
取得した前記テープ幅に応じて、前記複数のラベルイメージの中から前記テープの幅方向に並べて印刷するラベルイメージの組み合わせを決定し、
前記組み合わせを構成するラベルイメージを含む、前記テープ幅に対応する第１ラベルイメージを生成し、
前記第１ラベルイメージを含む前記印刷データを前記印刷装置へ出力する
処理を実行させることを特徴とするプログラム。
【符号の説明】
【００８０】
１、５００                            印刷装置
２、５０１                            装置筐体
２ａ、５０１ａ                        排出口
３                                    蓋
４〜８                                ボタン
９                                    窓
１０                                  サーマルヘッド
１０ａ                                発熱素子
１１                                  搬送用モータ駆動回路
１２                                  搬送用モータ
１３                                  サーミスタ
１４                                  カッターモータ駆動回路
１５                                  カッターモータ
１６                                  ハーフカット機構
１７                                  フルカット機構
１８                                  ヘッド駆動回路
１９                                  カートリッジ収納部
２０                                  カートリッジ受け部
２１                                  プラテンローラ
２２                                  テープコア係合軸
２３                                  インクリボン巻取り駆動軸
２４                                  テープ幅検出スイッチ
２５                                  制御回路
２６                                  通信ＩＦ
２７                                  ＲＯＭ
２８                                  ＲＡＭ
３０                                  テープカートリッジ
３１                                  カートリッジケース
３２                                  テープコア
３４                                  インクリボン供給コア
３５                                  インクリボン巻取りコア
３６                                  サーマルヘッド被挿入部
３７                                  係合部
１００                                情報処理装置
１０１                                ディスプレイ
１０２                                表示駆動回路
１０３、５０２                        入力部
１０４                                通信ＩＦ
１０５                                制御回路
１０６                                メモリ
１０７                                補助記憶装置
１０８                                媒体駆動装置
１１０、５１０                        取得部
１１１                                第１取得部
１１２                                第２取得部
１２０、５２０                        決定部
１３０、５３０                        生成部
１４０                                出力部
２００、２００ａ、２００ｂ、３０１、３０３、３０４
第１ラベルイメージ
２０１、２０２、４０１〜４０７        ラベルイメージ
２０３〜２１０                        情報
３０２                                第２ラベルイメージ
５０３                                表示部
５４０                                印刷部
Ｍ                                    被印刷媒体
Ｐ１〜Ｐ５                            パターン
Ｒ                                    インクリボン
Ｌ１                                  ラベル
【図１】
2020161097.tif 000003
【図２】
2020161097.tif 000004
【図３】
2020161097.tif 000005
【図４】
2020161097.tif 000006
【図５】
2020161097.tif 000007
【図６】
2020161097.tif 000008
【図７】
2020161097.tif 000009
【図８】
2020161097.tif 000010
【図９】
2020161097.tif 000011
【図１０】
2020161097.tif 000012
【図１１】
2020161097.tif 000013
【図１２】
2020161097.tif 000014
【図１３】
2020161097.tif 000015
【図１４】
2020161097.tif 000016
【図１５】
2020161097.tif 000017
【図１６】
2020161097.tif 000018